(57)【要約】所定の直径を有し、その両端にそれぞれ開口孔が形成されたメーンパイプと、そのメーンパイプに挿入されて骨組みを形成する補助パイプとからなるキャンプの骨組み結合構造において、前記メーンパイプ及び補助パイプの外周面の所定部には貫通孔が形成されており、前記補助パイプの内部には、一定の弾性力が補助パイプの中心から内周面方向に発生するようＵ字形状の弾性片が係合し、前記メーンパイプと補助パイプに形成された貫通孔を通じて挿入されて外部に露出する結合突起が、前記弾性片の上側端部の上面に形成されることによって、骨組みの結合及び組立が容易に行われる、着脱性に優れた移動式キャンプの結合部材を開示する。
2005539166.tif 000002
【特許請求の範囲】
【請求項１】
所定の直径を有し、その両端にそれぞれ開口孔が形成されたメーンパイプと、そのメーンパイプに挿入されて骨組みを形成する補助パイプとからなるキャンプの骨組み結合構造において、
前記メーンパイプ及び補助パイプの外周面の所定部には貫通孔が形成されており、
前記補助パイプの内部には、一定の弾性力が補助パイプの中心から内周面方向に発生するようＵ字形状の弾性片が係合し、
前記メーンパイプと補助パイプに形成された貫通孔を通じて挿入されて外部に露出する結合突起が、前記弾性片の上側端部の上面に形成されることによって、骨組みの結合及び組立が容易に行われることを特徴とする着脱性に優れた移動式キャンプの結合部材。
【請求項２】
前記結合突起は、その前面部に所定角度αで研磨処理した正面傾斜部を備え、補助パイプとメーンパイプの結合時にメーンパイプの開口部が結合突起を押圧することができることを特徴とする請求項１に記載の着脱性に優れた移動式キャンプの結合部材。
【請求項３】
記結合突起は、その一側面に所定角度βの傾斜角が形成されるように研磨処理した側面傾斜部を備え、分解時に補助パイプを一方向に回すことにより、メーンパイプの貫通孔がその結合突起の側面傾斜部を押圧することができることを特徴とする請求項１に記載の着脱性が優れた移動式キャンプの結合部材。
【発明の詳細な説明】
【技術分野】
【０００１】
本発明は、着脱性が優れた移動式キャンプの結合部材に関するもので、より詳細には、メーンパイプと補助パイプの結合時にその補助パイプ及びメーンパイプにそれぞれ挿入孔を形成し、その挿入孔に対して同時に結合できる結合突起が補助パイプの内部に弾性的に突き出て、そのパイプの着脱時に容易に着脱できるように結合突起の前面部及び一側面部に一定角度の傾斜面が形成された、着脱性に優れた移動式キャンプの結合部材に関するものである。
【背景技術】
【０００２】
周知のように、各種形態の野外用仮設小屋やキャンプは公知のテント形象の構造を持つものが一般的である。このような野外用仮設小屋やキャンプは複数のポールが結合された竿を利用してトンネル形象を維持できるようにしてあり、竿の結合・分離を簡単にすると同時に外部から加わる衝撃によって、前記野外用仮設小屋やキャンプ本体の形象が変形することを防止できる構造を提供することにその技術的要旨があった。
【０００３】
このような従来の野外用仮設小屋やキャンプは単に、メーンパイプの竿と、その竿に結合される複数のポールによって全体の骨組みを成しており、その骨組みの上部に布が被せられる構造で、一つの竿に対してポールが一定位置で結合されて支持されなければならないので、通常的に竿及びポールは締まりばめで結合され、各竿とポールは弾性ワイヤによって繋がっている。
【０００４】
しかし、このような締まりばめ方式の結合構造は竿の入口部に対して頻繁にポールを挿入する際、その竿の入口部が拡張して、小さな外力にも結合されたポールが簡単に離脱するという問題がある。
【０００５】
このような問題を解決するため、最近にはその端部が、異なるパイプに内挿される少なくとも２つ以上が一組に構成された結合部材が発売された。このような結合部材はある一つのパイプの外周面の一端に弾性力を持つ結合突起が形成されており、他のパイプの端部に所定の貫通孔が形成されて、その結合突起が貫通孔に挿入されてこそ結合力を維持することができる。
【０００６】
しかし、前述した従来の結合突起を備えた結合部材では、二つのパイプをそれぞれ結合させる時に使用者が指で結合突起を押さなければならない不便さがあり、そのパイプを分解する際にも貫通孔を通じて突き出た結合突起を押して結合力を解除しなければパイプを分解することができないため使用上非常に不便であるだけでなく、突き出た結合突起を押圧する過程で使用者の指が貫通孔に挟まって傷つく恐れがある。
【発明の開示】
【発明が解決しようとする課題】
【０００７】
本発明は前述した従来技術の事情に鑑みてなされたもので、その目的は、メーンパイプと補助パイプの結合時にその補助パイプ及びメーンパイプにそれぞれ挿入孔を形成し、その挿入孔に対して同時に結合できる結合突起が補助パイプの内部に弾性的に突き出て、そのパイプの着脱時に容易に着脱できるように結合突起の前面部及び一側面部に一定角度の傾斜面が形成された、着脱性に優れた移動式キャンプの結合部材を提供することにある。
【課題を解決するための手段】
【０００８】
前述の目的を達成するための着脱性に優れた移動式キャンプの結合部材は、所定の直径を有し、その両端にそれぞれ開口孔が形成されたメーンパイプと、そのメーンパイプに挿入されて骨組みを形成する補助パイプとからなるキャンプの骨組み結合構造において、前記メーンパイプ及び補助パイプの外周面の所定部には貫通孔が形成されており、前記補助パイプの内部には、一定の弾性力が補助パイプの中心から内周面方向に発生するようＵ字形状の弾性片が係合し、前記メーンパイプと補助パイプに形成された貫通孔に挿入されて外部に露出する結合突起が、前記弾性片の上側端部の上面に形成されることによって、骨組みの結合及び組立が容易に行われることを特徴とする。
【０００９】
ここで、前記結合突起は、その前面部に所定角度αで研磨処理した正面傾斜部を備え、補助パイプとメーンパイプの結合時にメーンパイプの開口部が結合突起を押圧することができることが好ましい。
【００１０】
また、記結合突起は、その一側面に所定角度βの傾斜角が形成されるように研磨処理した側面傾斜部を備え、分解時に補助パイプを一方向に回すことにより、メーンパイプの貫通孔がその結合突起の側面傾斜部を押圧することができることが好ましい。
【発明の効果】
【００１１】
本発明に係る着脱性が優れた移動式キャンプの結合部材は、メーンパイプと補助パイプの結合時にその補助パイプ及びメーンパイプにそれぞれ挿入孔を形成し、その挿入孔に対して同時に結合できる結合突起が補助パイプの内部に弾性的に突き出て、結合突起の前面部及び一側面部に一定角度の傾斜面が形成されているので、そのパイプの着脱時に容易に着脱できる。
【発明を実施するための最良の形態】
【００１２】
以下、添付図面を参照して本発明に係る着脱性が優れた移動式キャンプの結合部材について詳細に説明する。
【００１３】
図１は本発明の一実施例に係る着脱性が優れた移動式キャンプの結合部材の外形を示す結合斜視図であり、図２は本発明の一実施例に係る着脱性が優れた移動式キャンプの結合部材を示す分離斜視図である。
【００１４】
図１と図２を参照すれば、本発明の一実施例に係る着脱性が優れた移動式キャンプの結合部材２は、キャンプの骨組みを形成するメーンパイプ４と、そのメーンパイプ４の一端にその一端が挿入される補助パイプ６でそれぞれ構成される。メーンパイプ４は内部が空いており、両端にそれぞれ開口部８が形成された一般的なパイプであり、その外周面の所定部には貫通孔４ａが形成されている。
【００１５】
また、補助パイプ６はその外周面までの直径がメーンパイプ４の内周面までの直径と同一で、メーンパイプ４の開口部８にその端部１０が挿入できるように構成されており、その外周面の所定部にはメーンパイプ４と同じく貫通孔６ａが形成されている。
【００１６】
一方、本発明は補助パイプ６の内部に挿入されて一定の弾性を補助パイプ６の中心から内周面方向に発生させるＵ字形状の弾性片２０が提供される。その弾性片２０の下部の端部は、補助パイプ６の貫通孔６ａと対面する補助パイプ６の内周面に溶接されている。
【００１７】
また、弾性片２０の上側端部の上面には、メーンパイプ４と補助パイプ６に形成された貫通孔４ａ、６ａを通じて挿入され、外部に露出する結合突起３０が形成される。弾性片２０が補助パイプ６の内周面に固定されているので、結合突起３０は補助パイプ６の貫通孔６ａを通じて常に露出した状態になる。
【００１８】
したがって、メーンパイプ４と補助パイプ６との結合時には、補助パイプ６の貫通孔６ａを通じて露出した結合突起３０をメーンパイプ４に形成された貫通孔４ａに挟みこめば簡単に結合が行われる。この時、メーンパイプ４の内周面に沿って結合突起３０が移動する際には結合突起３０が弾性片２０を押圧することによって、一定長さ分内部に挿入された状態で、メーンパイプ４の内周面に沿って簡単に補助パイプ６の端部１０が挿入されることができる。
【００１９】
特に、本発明の一実施例に係る着脱性が優れた移動式キャンプの結合部材に具備された結合突起３０は、そのメーンパイプ４と補助パイプ６の結合及び分解の際、その結合及び分解が容易に行われるように結合突起３０の形象に特徴がある。それに対する詳細な説明は図３、図４、図５を参照して後述する。
【００２０】
図３は本発明の一実施例に係る着脱性が優れた移動式キャンプの結合部材で弾性片を示す斜視図であり、図４および図５は、本発明の一実施例に係る着脱性が優れた移動式キャンプの結合部材で弾性片の結合突起傾斜角を示す図面である。
【００２１】
これらの図面を参照すれば、本発明の一実施例に係る着脱性が優れた移動式キャンプの結合部材で弾性片２０はＵ字形状に切曲した状態で収縮されることで弾性力を付与する。この時、その弾性片２０が切曲することによって膨脹時にその膨脹力が正確に上部方向に作用しない。それによって、結合突起３０が容易に貫通孔４ａ、６ａを通じて結合するために、結合突起３０の正面には図４に示すように所定角度αの傾斜角が形成されるように研磨処理を行って正面傾斜部３０ａが形成されるようにする。
【００２２】
特に、本発明で例示する結合突起３０の前面部に形成された所定角度αの正面傾斜部３０ａはメーンパイプ４の結合方向に形成されているので、補助パイプ６をメーンパイプ４に挿入して結合させる時、メーンパイプ４の開口部８がその結合突起３０の正面傾斜部３０ａを押圧するようになるので、その結合突起３０は自然に押されて下方に移動しながら結合するようになる。
【００２３】
また、補助パイプ６をメーンパイプ４から分解する際、その分解が容易に行われるように、結合突起３０の一側面には図５に示すように所定角度βの傾斜角を成すように研磨処理した左側面傾斜部３０ｂを形成することが好ましい。
【００２４】
すなわち、補助パイプ６がメーンパイプ４から容易に離脱するためには、その後断面が一定角度の傾斜面を持つように研磨処理することができるが、その場合外力によって使用者が意図しない時にも補助パイプ６とメーンパイプ４が離脱し得るので好ましくない。
【００２５】
しかし、本発明に例示したようにその左側面に所定角度βの傾斜部３０ｂを形成した場合には使用者が補助パイプ６をメーンパイプ４から分離しようとする場合には、メーンパイプ４の貫通孔４ａの端がその結合突起３０の左側面傾斜部３０ｂに沿って押圧されながら、その結合突起３０を押圧することができる方向に補助パイプ６またはメーンパイプ４を回すと、結合突起３０が押さえられて貫通孔４ａから離脱するようになる。その状態で、使用者が補助パイプ６をメーンパイプ４から抜き出せば、補助パイプ６とメーンパイプ４は完全に分離する。
【００２６】
この時、結合突起３０のある一側面ではなく、両側面に側面傾斜部を形成した場合は、結合突起３０の頂上部３２が非常に尖るようになるので、むしろ貫通孔４ａ、６ａから容易に離脱することができる。よって、発明ではある一側面（例えば、右側面または左側面）にだけ傾斜部３０ｂが形成されるようにする。
【００２７】
また、本発明で図示しなかったが、好ましくは補助パイプ６及びメーンパイプ４の外周面に貫通孔４ａ、６ａをそれぞれ形成し、結合突起３０が上部面に固定した弾性片２０を補助パイプ６の内周面に係合した後、その補助パイプ６とメーンパイプ４の内部を通じて弾性ワイヤ（不図示）を挿入して各補助パイプ６とメーンパイプ４が繋がれるように構成することもできる。
【００２８】
一方、メーンパイプ４の内周面の所定部には、補助パイプ６が所定距離以上に挿入されることを阻止する引っかけ突起（不図示）が形成されている。補助パイプ６の結合突起３０がメーンパイプ４に形成された貫通孔４ａに完全に挿入された状態でその補助パイプ６がメーンパイプ４の内部にもっと進入すれば、結合突起３０に無理な外力が加わって結合突起３０が損傷する恐れがあるため、引っかけ突起は補助パイプ６の端部の進入を阻止することが好ましい。
【００２９】
前述した構成からなる着脱性に優れた移動式キャンプの結合部材において、補助パイプ６の内周面に、結合突起３０が上部面に固定した弾性片２０が係合されているので、その補助パイプ６の端部１０をメーンパイプ４の開口部８を通じて挿入すれば、メーンパイプ４の開口部８がその結合突起３０の正面傾斜部３０ａを押圧するようになるので、その結合突起３０は自然にメーンパイプ４の開口部８によって押されて下方に移動する。その状態で補助パイプ６はずっとメーンパイプ４のに内挿されて貫通孔４ａの位置に結合突起３０が到逹した時、弾性片２０によって結合突起３０が貫通孔４ａの上端部に飛び出て結合するようになる。
【００３０】
一方で、補助パイプ６とメーンパイプ４の分離時には、メーンパイプ４の貫通孔４ａの端がその結合突起３０の左側面傾斜部３０bに沿って押圧されながら、その結合突起３０を押圧する方向に補助パイプ６またはメーンパイプ４を回す。
【００３１】
そうなると、結合突起３０が貫通孔４ａの側面の内周面により押圧され下方に移動することによって、貫通孔４ａから離脱するようになる。その状態で、使用者が補助パイプ６をメーンパイプ４から抜き出せば、補助パイプ６とメーンパイプ４は完全に分離する。
【００３２】
したがって、本発明の実施例に係る着脱性に優れた移動式キャンプの結合部材であるメーンパイプ４と補助パイプ６は、使用者が結合突起３０に直接接触しない状態でも結合突起３０を下方に移動させることができるので、結合及び分離が非常に簡易に行われる。
【００３３】
一方、本発明の実施例に係る着脱性に優れた移動式キャンプの結合部材は、前記した実施例にだけ限定されるのではなく、その技術的要旨を逸脱しない範囲内で多様な変更ができる。
【図面の簡単な説明】
【００３４】
【図１】本発明の一実施例に係る着脱性に優れた移動式キャンプの結合部材の外形を示す結合斜視図である。
【図２】本発明の一実施例に係る着脱性に優れた移動式キャンプの結合部材を示す分離斜視図である。
【図３】本発明の一実施例に係る着脱性に優れた移動式キャンプの結合部材で弾性片を示す斜視図である。
【図４】本発明の一実施例に係る着脱性に優れた移動式キャンプの結合部材で弾性片の結合突起の傾斜角を示す図面である。
【図５】本発明の一実施例に係る着脱性に優れた移動式キャンプの結合部材で弾性片の結合突起の傾斜角を示す図面である。
【図１】
2005539166.tif 000003
【図２】
2005539166.tif 000004
【図３】
2005539166.tif 000005
【図４】
2005539166.tif 000006
【図５】
2005539166.tif 000007
【国際調査報告】
2005539166.tif 000008
2005539166.tif 000009